(57)【要約】【課題】外装筐体に変色現象が生じることを防止できるプロジェクターを提供する。【解決手段】プロジェクター１は、外装を構成する外装筐体２と、外装筐体２内外に着脱可能とする光源装置３１と、外装筐体２とは別体で構成され、外装筐体２に接続し、光源装置３１の配設位置に対応した位置に光源装置３１を交換するための交換用開口部１１１を有する接続部材１０と、外装筐体２に着脱可能に取り付けられ、交換用開口部１１１を閉塞し、外装の一部を構成する蓋部材とを備える。【選択図】図４
2010197848.tif 000002
【特許請求の範囲】
【請求項１】
外装を構成する外装筐体と、前記外装筐体内外に着脱可能とする光源装置とを備えたプロジェクターであって、
前記外装筐体とは別体で構成され、前記外装筐体における前記光源装置の配設位置に対応した位置に接続し、前記光源装置を交換するための交換用開口部を有する接続部材と、
前記外装筐体に着脱可能に取り付けられ、前記交換用開口部を閉塞し、外装の一部を構成する蓋部材とを備える
ことを特徴とするプロジェクター。
【請求項２】
請求項１に記載のプロジェクターにおいて、
前記接続部材は、
内周面に前記交換用開口部が形成された筒形状を有する第１の遮光部を備え、
前記第１の遮光部は、
前記接続部材が前記外装筐体に接続された状態で、一端側が前記外装筐体内部に向けて突出する
ことを特徴とするプロジェクター。
【請求項３】
請求項２に記載のプロジェクターにおいて、
前記外装筐体には、
前記光源装置の配設位置に対応した位置に筐体側開口部が形成され、
前記第１の遮光部は、
前記接続部材が前記外装筐体に接続された状態で、他端側が前記筐体側開口部に嵌合する
ことを特徴とするプロジェクター。
【請求項４】
請求項１から請求項３のいずれかに記載のプロジェクターにおいて、
前記外装筐体には、
前記蓋部材を取り付けるための取付用孔が形成され、
前記接続部材は、
前記光源装置及び前記取付用孔の間に位置し、前記光源装置から前記取付用孔に向う光を遮光する第２の遮光部を備える
ことを特徴とするプロジェクター。
【請求項５】
請求項１から請求項４のいずれかに記載のプロジェクターにおいて、
電源コネクタを介して外部から供給された電力を前記光源装置に供給する電源装置と、
前記電源コネクタ及び前記電源装置間にケーブルを介して接続され、前記蓋部材の着脱に連動して前記電源コネクタから前記電源装置への電力供給を許容または遮断するインターロックスイッチを備え、
前記外装筐体における前記蓋部材が取り付けられる側壁部に対向する対向側壁部内面には、前記インターロックスイッチを支持する第１の支持部が立設され、
前記接続部材は、
前記インターロックスイッチを支持する第２の支持部を備える
ことを特徴とするプロジェクター。
【請求項６】
請求項１から請求項５のいずれかに記載のプロジェクターにおいて、
前記蓋部材の裏面には、
前記交換用開口部を覆う遮蔽板が取り付けられている
ことを特徴とするプロジェクター。
【請求項７】
請求項６に記載のプロジェクターにおいて、
前記遮蔽板には、
前記光源装置が前記交換用開口部を介して前記外装筐体内部に挿入され、かつ、前記外装筐体内部に装着されていない状態において、前記蓋部材を前記外装筐体に取り付ける際に前記光源装置と機械的に干渉する突起部が形成されている
ことを特徴とするプロジェクター。
【発明の詳細な説明】
【技術分野】
【０００１】
本発明は、プロジェクターに関する。
【背景技術】
【０００２】
従来、外装筐体を解体することなく、光源装置を新たな光源装置に交換可能とするプロジェクターが提案されている（例えば、特許文献１参照）。
特許文献１に記載のプロジェクターでは、光源装置は、光源ランプ及びリフレクターがランプハウジングに収納されてユニット化されている。また、外装筐体には、光源装置の配設位置に対応して交換用開口部（ランプ開口部）が形成され、この交換用開口部を閉塞するようにランプカバーが取り付けられている。
上記の構成により、利用者は、外装筐体からランプカバーを取り外し、交換用開口部を介してユニット化された光源装置を脱着することで、新たな光源装置に交換できる。
【先行技術文献】
【特許文献】
【０００３】
【特許文献１】特開２００７−３３７９２号公報
【発明の概要】
【発明が解決しようとする課題】
【０００４】
ところで、合成樹脂成形品は、光の照射や熱によりその素材自体が変色する、いわゆる変色現象が生じやすいものである。
特許文献１に記載のプロジェクターでは、外装筐体は、合成樹脂成形品である。そして、外装筐体における交換用開口部周辺は、光源装置に近接しているため、光源装置からの光の照射や、ランプハウジングからの輻射熱により、変色現象が生じやすいものである。
このように変色現象が生じてしまうと、素材自体が劣化するため、外装筐体の強度を十分に確保することが難しい。また、ランプカバーを取り外した際に、変色箇所が目に付くため、見栄えの悪いものとなってしまう。
【０００５】
本発明の目的は、外装筐体に変色現象が生じることを防止できるプロジェクターを提供することにある。
【課題を解決するための手段】
【０００６】
本発明のプロジェクターは、外装を構成する外装筐体と、前記外装筐体内外に着脱可能とする光源装置とを備えたプロジェクターであって、前記外装筐体とは別体で構成され、前記外装筐体における前記光源装置の配設位置に対応した位置に接続し、前記光源装置を交換するための交換用開口部を有する接続部材と、前記外装筐体に着脱可能に取り付けられ、前記交換用開口部を閉塞し、外装の一部を構成する蓋部材とを備えることを特徴とする。
【０００７】
本発明では、プロジェクターは、外装筐体とは別体とされ、交換用開口部を有する接続部材を備える。このことにより、変色現象が生じやすい交換用開口部周辺を接続部材で構成でき、外装筐体に変色現象が生じることを防止できる。このため、外装筐体の素材が劣化することを防止できるので、外装筐体の強度を十分に確保できる。
ここで、接続部材としては、例えば、素材自体が黒色の合成樹脂成形品とした構成（以下、第１の構成）や、耐熱性が高い金属等の素材を用いて形成した構成（以下、第２の構成）が例示できる。
そして、接続部材を第１の構成及び第２の構成とした場合には、接続部材に変色現象が生じた場合であっても、変色箇所を目立たなくすることができる。
したがって、上記の各構成の接続部材を採用することで、蓋部材を外装筐体から取り外した際に、変色箇所が目に付くことがなく、見栄えのよいものとすることができる。
【０００８】
本発明のプロジェクターでは、前記接続部材は、内周面に前記交換用開口部が形成された筒形状を有する第１の遮光部を備え、前記第１の遮光部は、前記接続部材が前記外装筐体に接続された状態で、一端側が前記外装筐体内部に向けて突出することが好ましい。
ところで、外装筐体内部から交換用開口部を介して外部に向う光は、蓋部材にて交換用開口部を閉塞した場合であっても、外装筐体と蓋部材との接続箇所から漏れやすいものである。
そして、外装筐体外部への光漏れを防止するために、特許文献１でも記載されているように、交換用開口部の縁部から光源装置側に向けて枠状のリブを突出させ、該リブにて外装筐体内部から交換用開口部を介して外部に向う光を遮光する構成が多用される。
このようなリブは、光源装置に近接して配設されるため、光の照射や、ランプハウジングからの輻射熱により、変色現象が特に生じやすいものである。
【０００９】
本発明では、接続部材は、一端側が外装筐体内部に向けて突出する筒形状を有し、上述したリブと同様に外装筐体内部から交換用開口部を介して外部に向う光を遮光する第１の遮光部を備える。このことにより、変色現象が特に生じやすい第１の遮光部が接続部材に設けられているので、接続部材（第１の遮光部）を例えば上記第１または第２の構成とすれば、上述した見栄えのよいものとすることができるという効果を好適に図れる。
【００１０】
本発明のプロジェクターでは、前記外装筐体には、前記光源装置の配設位置に対応した位置に筐体側開口部が形成され、前記第１の遮光部は、前記接続部材が前記外装筐体に接続された状態で、他端側が前記筐体側開口部に嵌合することが好ましい。
本発明では、第１の遮光部は、筒形状の他端側が筐体側開口部に嵌合する。すなわち、蓋部材を外装筐体から取り外した際に、第１の遮光部における筒形状の他端側等のみが外部に露出することとなり、接続部材自体を目立たないものとすることができる。このため、接続部材を小型化できるとともに、上述した見栄えのよいものとすることができるという効果をより好適に図れる。
【００１１】
本発明のプロジェクターでは、前記外装筐体には、前記蓋部材を取り付けるための取付用孔が形成され、前記接続部材は、前記光源装置及び前記取付用孔の間に位置し、前記光源装置から前記取付用孔に向う光を遮光する第２の遮光部を備えることが好ましい。
本発明では、接続部材が上述した第２の遮光部を備えるので、光源装置から漏れ、取付用孔に向う光を第２の遮光部にて遮光できる。このため、取付用孔を介した外装筐体外部への光漏れを防止できる。
【００１２】
本発明のプロジェクターでは、電源コネクタを介して外部から供給された電力を前記光源装置に供給する電源装置と、前記電源コネクタ及び前記電源装置間にケーブルを介して接続され、前記蓋部材の着脱に連動して前記電源コネクタから前記電源装置への電力供給を許容または遮断するインターロックスイッチを備え、前記外装筐体における前記蓋部材が取り付けられる側壁部に対向する対向側壁部内面には、前記インターロックスイッチを支持する第１の支持部が立設され、前記接続部材は、前記インターロックスイッチを支持する第２の支持部を備えることが好ましい。
ところで、インターロックスイッチを第１の支持部のみで支持する構造とした場合には、インターロックスイッチは、第１の支持部による支持位置を支点として、倒れる方向に傾き、蓋部材と機械的に干渉する部位が所望の位置からずれる恐れがある。すなわち、外装筐体への蓋部材の取り付け時に、蓋部材にてインターロックスイッチをＯＮ（電源コネクタから電源装置への電力供給を許容）できず、インターロックスイッチをＯＦＦ（電源コネクタから電源装置への電力供給を遮断）の状態で維持し、外装筐体に蓋部材を取り付けても電源をＯＮできない、という不具合が生じる恐れがある。
本発明では、接続部材に第２の支持部が設けられ、第１の支持部及び第２の支持部の双方でインターロックスイッチを支持する。このことにより、インターロックスイッチが第１の支持部による支持位置を支点として倒れる方向に傾くことがなく、外装筐体への蓋部材への取り付け時に、蓋部材にて確実にインターロックスイッチをＯＮすることができる。
【００１３】
本発明のプロジェクターでは、前記蓋部材の裏面には、前記交換用開口部を覆う遮蔽板が取り付けられていることが好ましい。
本発明では、蓋部材の裏面に取り付けられた遮蔽板は、交換用開口部を覆う平面形状を有する。このことにより、交換用開口部を介して蓋部材に向う光や、ランプハウジングからの輻射熱を遮蔽板にて確実に遮断でき、光の照射や輻射熱により蓋部材に変色現象が生じることを防止できる。
【００１４】
本発明のプロジェクターでは、前記遮蔽板には、前記光源装置が前記交換用開口部を介して前記外装筐体内部に挿入され、かつ、前記外装筐体内部に装着されていない状態において、前記蓋部材を前記外装筐体に取り付ける際に前記光源装置と機械的に干渉する突起部が形成されていることが好ましい。
ここで、光源装置は、以下に示すように、外装筐体内部に装着される。
光源装置に設けられたコネクタ（以下、第１コネクタ）と、外装筐体内部に設けられたコネクタ（以下、第２コネクタ）とが接続すると、各コネクタを介して光源装置に電力が供給可能な状態（光源装置が駆動可能な状態）となる。
そして、光源装置は、交換用開口部を介して外装筐体内部に挿入され、挿入方向に押圧されることで、第１コネクタが第２コネクタに接続し、外装筐体内部に装着される。
一方、光源装置は、未装着（外装筐体内部に挿入されているが装着されていない）の場合には、各コネクタ同士が接続していないため、電力が供給されない（駆動不能）状態となる。
そして、光源装置は、未装着の状態では、第１コネクタが第２コネクタに接続していないため、装着される位置（各コネクタ同士が接続する位置）に対して交換用開口部側に位置付けられることとなる。
【００１５】
本発明では、遮蔽板に上述した突起部が形成されているので、光源装置が未装着の状態において、蓋部材を外装筐体に取り付ける際、交換用開口部を介して外装筐体内部に突起部を突出させ、突起部を光源装置に機械的に干渉させることができる。すなわち、光源装置が未装着の状態であっても、蓋部材を外装筐体に取り付けることで、突起部にて光源装置を押圧し、外装筐体内部に光源装置を装着させることができる。
また、遮蔽板として、交換用開口部を覆うような大きな平面形状で形成した場合であっても、遮蔽板に突起部が形成されているので、蓋部材を外装筐体に取り付ける際、交換用開口部を介して外装筐体内部に突起部を突出させることができ、上述したように光源装置を未装着の状態から装着した状態に設定できる。
【図面の簡単な説明】
【００１６】
【図１】本実施形態におけるプロジェクターの外観を示す斜視図。
【図２】本実施形態におけるプロジェクターの外観を示す斜視図。
【図３】本実施形態における外装筐体内部に収容される装置本体を模式的に示す図。
【図４】本実施形態における設置部の形状を説明するための図。
【図５】本実施形態におけるアッパーケース及び接続部材を分解した分解斜視図。
【図６】本実施形態におけるアッパーケース及び接続部材を分解した分解斜視図。
【図７】本実施形態における第２の遮光部の機能を説明するための図。
【図８】本実施形態におけるインターロックスイッチの支持構造を示す図。
【図９】本実施形態におけるインターロックスイッチの支持構造を示す図。
【図１０】本実施形態におけるランプカバーの裏面を前面側から見た斜視図。
【図１１】本実施形態における遮蔽板の構成を説明するための図。
【図１２】本実施形態における遮蔽板の構成を説明するための図。
【発明を実施するための形態】
【００１７】
以下、本発明の実施の一形態を図面に基づいて説明する。
〔外観構成〕
図１及び図２は、本実施形態におけるプロジェクター１の外観を示す斜視図である。具体的に、図１は、プロジェクター１を投射レンズ３６が配置される前面側から見た斜視図であり、図２はプロジェクター１を前面に対して反対側の背面側から見た斜視図である。
プロジェクター１は、画像情報に応じた画像を形成してスクリーン（図示略）上に投射する。このプロジェクター１は、図１または図２に示すように、外装を構成する外装筐体２を備える。
【００１８】
外装筐体２は、プロジェクター１の装置本体を収納する。この外装筐体２は、図１または図２に示すように、側壁部としての天面部２Ａを有するアッパーケース２１と、天面部２Ａに対向する対向側壁部としての底面部２Ｂを有するロアーケース２２とを備え、これら各ケース２１，２２が組み合わされて構成されている。
なお、本実施形態では、外装筐体２は、合成樹脂成形品である。
この外装筐体２において、天面部２Ａの背面側には、図１または図２に示すように、前面側から見て左側の角隅部分に、外面から内部に向けて窪む設置部７が形成されている。また、設置部７には、後述する光源装置３１を交換するための蓋部材としてのランプカバー８が着脱可能に取り付けられている。
なお、設置部７及びランプカバー８の詳細な形状については、後述する。
【００１９】
また、外装筐体２において、天面部２Ａ及び底面部２Ｂに隣接した背面部２Ｃには、図２に示すように、背面側から見て左下の角隅部分に、電源コネクタ９が設けられている。
この電源コネクタ９は、電源ケーブル（図示略）が挿し込まれ、電源ケーブルを介して外部から供給される電力をプロジェクター１の装置本体に供給させるためのコネクタである。
【００２０】
〔内部構成〕
図３は、外装筐体２内部に収容される装置本体を模式的に示す図である。
外装筐体２内部には、図３に示す装置本体が収容されている。そして、この装置本体は、光学ユニット３と、フィルター回路基板４と、電源装置５と、インターロックスイッチ６等を備える。
なお、具体的な図示は省略したが、外装筐体２内において、各部材３〜６以外の空間には、プロジェクター１内部に空気を導入させ内部の各構成部材を冷却する冷却ファン等を備えた冷却ユニット、プロジェクター１内部の空気を外部に排出する排気ファンや排気ダクト等を備えた排気ユニット、プロジェクター１の各構成部材の動作を制御する制御装置等が配置されるものとする。
【００２１】
〔光学ユニットの構成〕
光学ユニット３は、前記制御装置による制御の下、画像情報（画像信号）に応じた画像を形成して投射する。
この光学ユニット３は、図３に示すように、光源ランプ３１１、リフレクター３１２、平行化レンズ３１３、及び各光学部品３１１〜３１３を収納保持するランプハウジング３１４を有する光源装置３１と、レンズアレイ３２１，３２２、偏光変換素子３２３、及び重畳レンズ３２４を有する照明光学装置３２と、ダイクロイックミラー３３１，３３２、及び反射ミラー３３３を有する色分離光学装置３３と、入射側レンズ３４１、リレーレンズ３４３、及び反射ミラー３４２，３４４を有するリレー光学装置３４と、光変調装置としての３つの液晶パネル３５１、３つの入射側偏光板３５２、３つの射出側偏光板３５３、及び色合成光学装置としてのプリズム３５４を有する光学装置３５と、投射光学装置としての投射レンズ３６と、各光学部品３２〜３５を収納する光学部品用筐体３７とを備える。
そして、光学ユニット３では、上述した構成により、光源装置３１から射出され照明光学装置３２を介した光束は、色分離光学装置３３にてＲ，Ｇ，Ｂの３つの色光に分離される。また、分離された各色光は、各液晶パネル３５１にて画像情報に応じてそれぞれ変調される。変調された各色光は、プリズム３５４にて合成されて画像となり、投射レンズ３６にてスクリーンに投射される。
なお、光学部品３１〜３６については、種々の一般的なプロジェクターの光学系として利用されているため、具体的な説明を省略する。
【００２２】
〔フィルター回路基板の構成〕
フィルター回路基板４は、図３に示すように、背面側の電源コネクタ９に近接した位置に配設され、電源コネクタ９とケーブル（図示略）を介して接続する。そして、フィルター回路基板４は、電源コネクタ９を介して外部から供給される交流電流からノイズ、特に高周波ノイズを除去する。ここで、高周波ノイズが電流に含まれると、電子回路の動作に大きな影響を与えることとなり、動作不良の原因となる。この高周波ノイズをフィルター回路基板４に実装されたコイル素子等によって除去することにより、電源装置５等のプロジェクター１の電子部品の動作を安定化できる。
【００２３】
〔電源装置の構成〕
電源装置５は、フィルター回路基板４によってノイズが除去された交流電流に対して、ＡＣ／ＤＣ変換を実施し、所定の直流電圧を生成して、光源ランプ３１１、前記冷却ファン、前記排気ファン、及び前記制御装置等に出力する。この電源装置５は、図３に示すように、前面側の左右方向略中央部分に配設されている。この電源装置５としては、例えば、交流電流を整流して直流電流に変換するダイオードブリッジ等を有する整流回路や、入力した直流の電圧を所定の電圧に変換するＤＣ／ＤＣコンバータ等にて構成できる。
【００２４】
〔インターロックスイッチの構成〕
インターロックスイッチ６は、フィルター回路基板４と電源装置５との間に各ケーブル（図示略）を介して接続し、押下（押圧）されることで前記各ケーブル間を導通状態（フィルター回路基板４から電源装置５への電力供給を許容）とし、押下が解除されることで前記各ケーブル間を非導通状態（フィルター回路基板４から電源装置５への電力供給を遮断）とするメカニカルスイッチで構成されている。
ここで、ロアーケース２２において、光源装置３１の配設位置に対して背面側には、上方側に向けて突出し、インターロックスイッチ６の外形形状に対応した矩形枠状の第１の支持部２２１（図８、図９参照）が立設されている。
そして、インターロックスイッチ６は、下方側が第１の支持部２２１に嵌合する。
【００２５】
〔設置部の詳細な形状〕
図４は、設置部７の形状を説明するための図である。具体的に、図４は、図２に示す状態において、ランプカバー８が配設される部分を拡大し、ランプカバー８を取り外した状態を示している。
設置部７は、図４に示すように、外装筐体２の外面から内部に向けて窪み、天面部２Ａから天面部２Ａに隣接する背面部２Ｃ及び側面部２Ｄにかけて形成されている。
すなわち、設置部７は、天面部２Ａに形成された第１設置部７１と、背面部２Ｃに形成された第２設置部７２と、側面部２Ｄに形成された第３設置部７３とで構成される。
【００２６】
第１設置部７１は、図４に示すように、平面視略矩形形状を有し、アッパーケース２１外面から内側に窪む平面視Ｌ字状の第１凹部７１１と、第１凹部７１１よりもさらに内側に窪む平面視矩形状の第２凹部７１２とを備え、段付き形状を有する。
第１凹部７１１は、ランプカバー８が設置部７に設置された状態で、ランプカバー８の裏面が当接する部分である。
第２凹部７１２において、底部分７１２Ａには、筐体側開口部７１３が形成されている。
筐体側開口部７１３は、光源装置３１の配設位置に対応した位置において、光源装置３１（ランプハウジング３１４）の平面形状に対応した形状を有している。
そして、この筐体側開口部７１３には、後述する接続部材１０の一部が嵌合する。
なお、接続部材１０の詳細な形状については、後述する。
【００２７】
また、第２凹部７１２において、前面側には、外装筐体２内外を貫通し、底部分７１２Ａ及び前面側壁部７１２Ｂに跨って、ランプカバー８を取り付けるための第１取付用孔７１４が形成されている。
さらに、第２凹部７１２の底部分７１２Ａにおいて、背面側には、図４に示すように、背面側から見て右側に、内部のインターロックスイッチ６に向けて貫通した貫通孔７１５が形成されている。
具体的に、貫通孔７１５は、インターロックスイッチ６に対向する位置から第２設置部７２まで延びるように形成されている。
【００２８】
第２設置部７２において、底部分７２Ａには、左右両側に、外装筐体２内外を貫通し、ランプカバー８を取り付けるための一対の第２取付用孔７２１が形成されている。
また、第２設置部７２において、底部分７２Ａには、内部に向けてさらに窪んだ固定用凹部７２２が形成されている。
この固定用凹部７２２は、固定部材（図示略）が配設される部分である。
具体的に、前記固定部材は、ランプカバー８を設置部７に固定するためのネジが螺合する部材である。
【００２９】
第３設置部７３において、底部分７３Ａの前面側には、内部に向けてさらに窪んだ着脱用凹部７３１が形成されている。
この着脱用凹部７３１は、前面側壁部７３Ｂに沿って第１設置部７１まで延びるように形成されている。
【００３０】
また、第３設置部７３において、前面側壁部７３Ｂには、着脱用凹部７３１の底部分に沿って前後方向に外装筐体２内外を貫通し、ランプカバー８を取り付けるための第３取付用孔７３２が形成されている。
【００３１】
〔接続部材の詳細な形状〕
図５及び図６は、アッパーケース２１及び接続部材１０を分解した分解斜視図である。具体的に、図５は背面上側から見た図であり、図６は前面下側から見た図である。
接続部材１０は、図５または図６に示すように、外装筐体２とは別体で構成され、アッパーケース２１に接続する部材である。
なお、本実施形態では、接続部材１０は、素材自体が黒色の合成樹脂成形品である。
そして、接続部材１０は、第１の遮光部１１と、張出部１２とを備える。
【００３２】
第１の遮光部１１は、内周面に光源装置３１の平面形状に対応した開口部１１１を有し、鉛直方向に延出する筒状に形成されている。
この第１の遮光部１１は、図４に示すように、アッパーケース２１に接続部材１０が取り付けられた状態で、天面部２Ａ側から見て光源装置３１を囲むように位置付けられるとともに、上端部分が筐体側開口部７１３に嵌合する。
そして、光源装置３１の交換は、ランプハウジング３１４に設けられた把持部３１４Ａ（図４）を把持し、開口部１１１を介して外装筐体に対して脱着することで実施される。
すなわち、開口部１１１は、本発明に係る交換用開口部に相当する。
【００３３】
また、第１の遮光部１１は、アッパーケース２１に接続部材１０が取り付けられた状態で、図４に示すように、下端部分がアッパーケース２１の裏面に対して下方側に突出して光源装置３１に近接した位置に位置付けられる。
すなわち、第１の遮光部１１は、外装筐体２内部から交換用開口部１１１を介して外部に向う光を遮光する機能を有する。
張出部１２は、図５または図６に示すように、第１の遮光部１１の外周面から外側に張り出し、アッパーケース２１の裏面にネジＳｃ（図６）により固定される部分である。
そして、張出部１２は、アッパーケース２１に接続部材１０が取り付けられた状態で、筐体側開口部７１３の周辺に対向するように位置付けられる（図７参照）。
【００３４】
図７は、第２の遮光部１２１Ａの機能を説明するための図である。具体的に、図７は、第１取付用孔７１４の形成位置を通り、前後方向に延びる平面で切断した縦断面図である。
この張出部１２において、各取付用孔７１４，７２１，７３２に対応する位置には、図５または図６に示すように、第２の遮光部１２１Ａ〜１２１Ｄがそれぞれ設けられている。
これら第２の遮光部１２１Ａ〜１２１Ｄは、アッパーケース２１に接続部材１０が取り付けられた状態で、光源装置３１と各取付用孔７１４，７２１，７３２との間にそれぞれ位置する。
ここで、ランプハウジング３１４には、空気を内部に導入、または外部に排出し、内部に収納される光源ランプ３１１やリフレクター３１２等を冷却するための開口部３１４Ｂ（図７）が形成されている。
そして、第２の遮光部１２１Ａは、図７に示すように、光源装置３１と第１取付用孔７１４との間に位置することで、開口部３１４Ｂから漏れ、第１取付用孔７１４に向う光を遮光する。
なお、その他の第２の遮光部１２１Ｂ〜１２１Ｄも上記同様に、光源装置３１から漏れ、各取付用孔７２１，７３２に向う光を遮光する機能を有する。
【００３５】
図８及び図９は、インターロックスイッチ６の支持構造を示す図である。具体的に、図８はインターロックスイッチ６の支持構造を背面側から見た斜視図であり、図９は図８に示す支持構造を前後方向に延びる平面で切断した縦断面図である。
また、張出部１２において、天面部２Ａ側から見て貫通孔７１５に干渉する位置には、図５または図６に示すように、インターロックスイッチ６における天面部２Ａ側が嵌合する第２の支持部としての支持孔１２２が形成されている。
すなわち、インターロックスイッチ６は、図８または図９に示すように、底面部２Ｂ側が第１の支持部２２１に嵌合するとともに、天面部２Ａ側が支持孔１２２に嵌合し、ロアーケース２２及び接続部材１０の双方で支持されている。
【００３６】
〔ランプカバーの詳細な形状〕
図１０は、ランプカバー８の裏面を前面側から見た斜視図である。
ランプカバー８は、図１０に示すように、設置部７に対応した形状を有し、設置部７に設置されることで、交換用開口部１１１を閉塞する。
このランプカバー８は、設置部７に設置された状態で、第１設置部７１に当接し天面部２Ａの一部を構成する第１カバー部８１と、第２設置部７２に当接し背面部２Ｃの一部を構成する第２カバー部８２と、第３設置部７３に当接し側面部２Ｄの一部を構成する第３カバー部８３とで構成されている。
【００３７】
第１カバー部８１において、裏面には、下方側に突出し、交換用開口部１１１における前面側の縁部に対応して左右方向に延びる部位８１１Ａ、交換用開口部１１１における左右両側の縁部に対応して前後方向に延びる部位８１１Ｂ，８１１Ｃを有する略Ｕ字状のリブ８１１が形成されている。
そして、第１カバー部８１の裏面において、リブ８１１で囲まれる部分には、図１０に示すように、遮蔽板８４が取り付けられる。
なお、遮蔽板８４の詳細な形状及び機能については、後述する。
【００３８】
部位８１１Ａにおいて、第１取付用孔７１４に対応した位置には、前面側に向けて突出し、第１取付用孔７１４に挿通される第１係合用突起８１２が形成されている。
また、第１カバー部８１において、裏面の背面側には、下方側に突出し、貫通孔７１５に対応して前後方向に延びる作動用突起８１３が形成されている。
この作動用突起８１３は、ランプカバー８が設置部７に設置された状態で、貫通孔７１５を介して外装筐体２の内部に突出し、インターロックスイッチ６を押下する。
すなわち、インターロックスイッチ６は、ランプカバー８が設置部７に設置された状態で電源装置５への電力供給を許容し、ランプカバー８が取り外された状態で電源装置５への電力供給を遮断する。
【００３９】
第２カバー部８２において、２つの第２取付用孔７２１に対応した位置には、前面側に向けて突出し、各第２取付用孔７２１にそれぞれ挿通される２つの第２係合用突起８２１が形成されている。
また、第２カバー部８２の裏面において、固定用凹部７２２に対応した位置には、前面側に向けて窪み、底部分にネジ（図示略）が挿通される固定用孔８２２Ａを有する固定用凹部８２２が形成されている。
第３カバー部８３において、前面側の端部には、第３カバー部８３の外面に対して右側（前面側から見て右側）に段落ち形成され、前面側に向けて突出する第３係合用突起８３１が形成されている。この第３係合用突起８３１は、第３取付用孔７３２に挿通される部分である。
【００４０】
そして、ランプカバー８は、以下に示すように、設置部７に対して設置される。
先ず、着脱用凹部７３１の底部分に第３係合用突起８３１を当接させながらランプカバー８を設置部７にあてがい、ランプカバー８の裏面を第１凹部７１１に当接させる。
次に、第１凹部７１１上でランプカバー８を前面側に摺動させることで、各係合用突起８１２，８２１，８３１が各取付用孔７１４，７２１，７３２に挿通され、ランプカバー８が設置部７に係止される。
この後、固定用孔８２２Ａにネジ（図示略）を挿通し、固定用凹部７２２に配設された固定部材（図示略）に螺合することで、ランプカバー８が設置部７に固定される。
なお、ランプカバー８を取り外す際には、上記と逆の動作を実施する。
【００４１】
〔遮蔽板の詳細な形状〕
図１１及び図１２は、遮蔽板８４の構成を説明するための図である。具体的に、図１１は、交換用開口部１１１及び遮蔽板８４の平面形状を比較した図である。図１２は、膨出部８４１と光源装置３１との位置関係を示す図であり、膨出部８４１を通り前後方向に延びる平面で切断した縦断面図である。
遮蔽板８４は、金属製の板体で構成され、ランプカバー８の裏面に対して所定の間隔を空けて取り付けられる。そして、遮蔽板８４は、ランプハウジング３１４からの輻射熱を遮断し、ランプカバー８の熱劣化を防止する。また、遮蔽板８４は、交換用開口部１１１を介してランプカバー８に向う光を遮光する機能も有する。
この遮蔽板８４は、図１１に示すように、交換用開口部１１１よりも大きい平面形状を有し、ランプカバー８が設置部７に設置された状態で交換用開口部１１１を覆うように位置付けられる。
【００４２】
この遮蔽板８４には、図１０ないし図１２に示すように、絞り加工により下方側に向けて膨出した突出部としての膨出部８４１が形成されている。
この膨出部８４１は、図１２に示すように、光源装置３１が外装筐体２内部に装着されている場合には、ランプカバー８を設置部７に設置しても、光源装置３１（ランプハウジング３１４の天面部２Ａ側に突設された突設部３１４Ｃ）に機械的に干渉することはない。
なお、光源装置３１は、以下に示すように、外装筐体２内部に装着される。
光源装置３１に設けられた第１コネクタＣＮ１（図１２）と、外装筐体２内部に設けられた第２コネクタＣＮ２とが接続すると、各コネクタＣＮ１，ＣＮ２を介して光源ランプ３１１に電力が供給可能な状態（光源ランプ３１１が点灯可能な状態）となる。
そして、光源装置３１は、交換用開口部１１１を介して外装筐体２内部に挿入され、底面部２Ｂ側に押圧されることで、第１コネクタＣＮ１が第２コネクタＣＮ２に接続し、外装筐体２内部に装着される。
【００４３】
一方、光源装置３１は、未装着（外装筐体２内部に挿入されているが装着されていない）の場合には、各コネクタＣＮ１，ＣＮ２同士が接続していないため、電力が供給されない（光源ランプ３１１が点灯不能）な状態となる。
そして、光源装置３１は、未装着の状態では、第１コネクタＣＮ１が第２コネクタＣＮ２に接続していないため、図１２に示す装着位置に対して、天面部２Ａ側に位置付けられることとなる。
上記のように未装着の状態で、ランプカバー８を設置部７に設置すると、膨出部８４１は、交換用開口部１１１を介して外装筐体２内部に突出し、ランプハウジング３１４の突設部３１４Ｃに機械的に干渉することとなる。
すなわち、上記のように未装着の状態であっても、ランプカバー８を設置部７に設置することで、膨出部８４１にてランプハウジング３１４の突設部３１４Ｃが底面部２Ｂ側に押圧され、光源装置３１が外装筐体２内部に装着されることとなる。
【００４４】
上述した本実施形態によれば、以下の効果がある。
本実施形態では、プロジェクター１は、外装筐体２とは別体とされ、交換用開口部１１１を有する接続部材１０を備える。このことにより、変色現象が生じやすい交換用開口部１１１周辺を接続部材１０で構成でき、外装筐体２に変色現象が生じることを防止できる。このため、外装筐体２の素材が劣化することを防止できるので、外装筐体２の強度を十分に確保できる。
【００４５】
また、接続部材１０は、素材自体が黒色の合成樹脂成形品である。このため、接続部材１０に変色現象が生じた場合であっても、変色箇所を目立たなくすることができる。
したがって、ランプカバー８を外装筐体２から取り外した際に、変色箇所が目に付くことがなく、見栄えのよいものとすることができる。
【００４６】
ここで、変色箇所を目立たなくするために、接続部材１０を用いずに、外装筐体２自体を素材自体が黒色の合成樹脂成形品とする、あるいは、耐熱性の高い（変色現象の生じない）金属等の素材を用いて形成することが考えられるが、このような構成では、外装筐体２の素材が限定されるため、外装筐体２の設計の自由度が低減してしまう。
同様に、変色箇所を目立たなくするために、接続部材１０を用いずに、外装筐体２の筐体側開口部７１３周辺を黒で塗装することも考えられるが、このように構成した場合には、外装筐体２の製造コストが増加してしまう。
これに対して、本実施形態では、素材自体が黒色の合成樹脂成形品である接続部材１０を採用することで、外装筐体２を上述した構成とする必要がなく、外装筐体２の設計の自由度を向上できるとともに、低コストで外装筐体２を製造できる。
【００４７】
また、接続部材１０は、下端部分が外装筐体２内部に向けて突出する筒形状を有し、外装筐体２内部から交換用開口部１１１を介して外部に向う光を遮光する第１の遮光部１１を備える。このことにより、変色現象が特に生じやすい第１の遮光部１１が接続部材１０に設けられているので、接続部材１０を素材自体が黒色の合成樹脂成形品とすることで、上述した見栄えのよいものとすることができるという効果を好適に図れる。
【００４８】
さらに、第１の遮光部１１は、筒形状の上端部分が筐体側開口部７１３に嵌合する。すなわち、ランプカバー８を外装筐体２から取り外した際に、第１の遮光部１１における筒形状の上端部分等のみが外部に露出することとなり、接続部材１０自体を目立たないものとすることができる。このため、接続部材１０を小型化できるとともに、上述した見栄えのよいものとすることができるという効果をより好適に図れる。
【００４９】
また、接続部材１０は、第１の遮光部１１の外周面から外側に張り出した張出部１２を備え、張出部１２に第２の遮光部１２１Ａ〜１２１Ｄが設けられている。このことにより、光源装置３１から漏れ、各取付用孔７１４，７２１，７３２に向う光を第２の遮光部１２１Ａ〜１２１Ｄにて遮光できる。このため、各取付用孔７１４，７２１，７３２を介した外装筐体２外部への光漏れを防止できる。
【００５０】
さらに、接続部材１０に支持孔１２２が形成され、ロアーケース２２に形成された第１の支持部２２１、及び支持孔１２２の双方でインターロックスイッチ６を支持する。このことにより、インターロックスイッチ６が第１の支持部２２１による支持位置を支点として倒れる方向に傾くことがなく、外装筐体２へのランプカバー８の取り付け時に、作動用突起８１３にて確実にインターロックスイッチ６をＯＮ（フィルター回路基板４から電源装置５への電力供給を許容）することができる。
【００５１】
また、ランプカバー８の裏面に取り付けられた遮蔽板８４は、交換用開口部１１１を覆う平面形状を有する。このことにより、交換用開口部１１１を介してランプカバー８に向う光や、ランプハウジング３１４からの輻射熱を遮蔽板８４にて確実に遮断でき、光の照射や輻射熱によりランプカバー８に変色現象が生じることを防止できる。
さらに、遮蔽板８４に膨出部８４１が形成されているので、光源装置３１が未装着の状態であっても、ランプカバー８を設置部７に取り付けることで、膨出部８４１にて光源装置３１を押圧し、外装筐体２内部に光源装置３１を装着させることができる。
また、遮蔽板８４として、交換用開口部１１１を覆うような大きな平面形状で形成した場合であっても、遮蔽板８４に膨出部８４１が形成されているので、ランプカバー８を設置部７に取り付ける際、交換用開口部１１１を介して外装筐体２内部に膨出部８４１を突出させることができ、上述したように光源装置３１を未装着の状態から装着した状態に設定できる。
【００５２】
なお、本発明は前述の実施形態に限定されるものではなく、本発明の目的を達成できる範囲での変形、改良等は本発明に含まれるものである。
前記実施形態において、接続部材１０としては、前記実施形態で説明した形状に限らず、交換用開口部１１１周辺を構成するものであれば、何れの形状でも構わない。
例えば、外装筐体２の一部である設置部７を外装筐体２とは別体で構成する。また、設置部７と接続部材１０とを一体的に成形した成形品とする。そして、前記成形品を外装筐体２に接続する。
【００５３】
前記実施形態では、接続部材１０は、素材自体が黒色の合成樹脂成形品であったが、これに限らない。
例えば、接続部材１０としては、耐熱性が高く変色現象の生じない金属等の素材で形成した構成としても構わない。
また、例えば、接続部材１０としては、素材自体が黒色以外の色の合成樹脂を成形した後、黒色で塗装した構成としても構わない。
【００５４】
前記実施形態において、プロジェクター１は、３つの液晶パネル３５１を備える構成としたが、本発明はこれに限らない。すなわち、２つ以下、あるいは、４つ以上の液晶パネルを用いたプロジェクターにも、本発明を適用可能である。
前記実施形態において、光変調装置としては、透過型の液晶パネルの他、反射型の液晶パネルを採用しても構わない。また、光束を画像情報に応じて変調して画像を形成する光変調装置であれば、他の構成の光変調装置を採用しても構わない。例えば、マイクロミラーを用いたデバイスなど、液晶以外の光変調装置を用いたプロジェクターにも、本発明を適用可能である。このような光変調装置を用いた場合、光束入射側及び光束出射側の偏光板３５２，３５３は省略できる。
前記実施形態では、フロント投射型のプロジェクターの例のみを挙げたが、本発明は、スクリーンを備え、該スクリーンの裏面側から投射を行うリアタイプのプロジェクターにも適用可能である。
【産業上の利用可能性】
【００５５】
本発明のプロジェクターは、プレゼンテーションやホームシアターに用いられるプロジェクターとして利用できる。
【符号の説明】
【００５６】
１・・・プロジェクター、２・・・外装筐体、２Ａ・・・天面部（側壁部）、２Ｂ・・・底面部（対向側壁部）、５・・・電源装置、６・・・インターロックスイッチ、８・・・ランプカバー（蓋部材）、９・・・電源コネクタ、１０・・・接続部材、１１・・・第１の遮光部、３１・・・光源装置、８４・・・遮蔽板、１１１・・・交換用開口部、１２１Ａ〜１２１Ｄ・・・第２の遮光部、１２２・・・支持孔（第２の支持部）、２２１・・・第１の支持部、７１３・・・筐体側開口部、７１４，７２１，７３２・・・取付用孔、８４１・・・膨出部（突起部）。
【図１】
2010197848.tif 000003
【図２】
2010197848.tif 000004
【図３】
2010197848.tif 000005
【図４】
2010197848.tif 000006
【図５】
2010197848.tif 000007
【図６】
2010197848.tif 000008
【図７】
2010197848.tif 000009
【図８】
2010197848.tif 000010
【図９】
2010197848.tif 000011
【図１０】
2010197848.tif 000012
【図１１】
2010197848.tif 000013
【図１２】
2010197848.tif 000014